(57)【特許請求の範囲】
【請求項１】
配管が接続可能な流入口、流出口および弁体を有する水栓本体と、少なくとも二つの開口を有し、壁または取付用パネルに形成された取付穴に配置された前記水栓本体を覆うカバー体と、前記水栓本体の前記流出口に接続された状態で前記カバー体の一方の開口に配置され、ホースの上流端に設けられた継手部材が着脱自在である継手部と、前記カバー体の他方の開口に配置され、前記流出口から流出可能な水または湯の流量を調整するための流量調整ハンドルと、前記水栓本体と前記カバー体とで前記壁または取付用パネルを挟持することによって前記水栓本体を前記取付穴に位置決めする位置決め手段とを備え、更に、この位置決め手段が、前記水栓本体と前記カバー体を接続する接続部材を有する一方、前記カバー体は、前記二つの開口の下方位置に漏水孔を有するとともに、少なくとも前記流出口と継手部との接続部分からの漏水を前記漏水孔に案内しうる漏水案内部材を有することを特徴とする水道用コンセント。
【請求項２】
配管が接続可能な流入口、流出口および弁体を有する水栓本体と、少なくとも二つの開口を有し、壁または取付用パネルに形成された取付穴に配置された前記水栓本体を覆うカバー体と、前記水栓本体の前記流出口に接続された状態で前記カバー体の一方の開口に配置され、ホースの上流端に設けられた継手部材が着脱自在である継手部と、前記カバー体の他方の開口に配置され、前記流出口から流出可能な水または湯の流量を調整するための流量調整ハンドルと、前記壁または取付用パネルの後方に設置してある水栓本体取付部材と前記カバー体とで前記水栓本体を挟持することによって前記水栓本体を前記取付穴に位置決めする位置決め手段とを備え、更に、この位置決め手段が、前記水栓本体および前記水栓本体取付部材を当接させた状態で前記水栓本体および前記水栓本体取付部材を接続する接続部材と、前記水栓本体と前記カバー体を接続する接続部材とを有する一方、前記カバー体は、前記二つの開口の下方位置に漏水孔を有するとともに、少なくとも前記流出口と継手部との接続部分からの漏水を前記漏水孔に案内しうる漏水案内部材を有することを特徴とする水道用コンセント。
【請求項３】
配管が接続可能な流入口、流出口および弁体を有する水栓本体と、少なくとも二つの開口を有し、壁または取付用パネルに形成された取付穴に配置された前記水栓本体を覆うカバー体と、前記水栓本体の前記流出口に接続された状態で前記カバー体の一方の開口に配置され、ホースの上流端に設けられた継手部材が着脱自在である継手部と、前記カバー体の他方の開口に配置され、前記流出口から流出可能な水または湯の流量を調整するための流量調整ハンドルと、前記壁または取付用パネルの後方に設置してある水栓本体取付部材と前記カバー体とで前記水栓本体を挟持することによって前記水栓本体を前記取付穴に位置決めする位置決め手段とを備え、更に、前記カバー体は、前記二つの開口に対応する位置にそれぞれ開口部が形成された枠部材と、前記二つの開口を有し、前記枠部材の前面に着脱自在に装着される枠装着部材とよりなり、前記位置決め手段が、前記水栓本体および前記水栓本体取付部材を当接させた状態で前記水栓本体および前記水栓本体取付部材を接続する接続部材と、前記水栓本体と前記カバー体の前記枠部材を接続する接続部材とを有する一方、前記カバー体は、前記二つの開口の下方位置に漏水孔を有するとともに、前記枠部材は、少なくとも前記流出口と継手部との接続部分からの漏水を前記漏水孔に案内しうる漏水案内部材を有することを特徴とする水道用コンセント。
【請求項４】
前記漏水案内部材は、前記流入口および配管の接続部分からの漏水も前記漏水孔に案内可能なように構成されている請求項１ないし請求項３のいずれかに記載の水道用コンセント。
【発明の詳細な説明】
【０００１】
【発明の属する技術分野】
この発明は、例えば台所の流し台に置かれた浄水器、食器洗い機、湯沸器などの機器の給水ホースや、洗濯機の給水ホースへ給水できる以外に、例えば、一戸建て木造住宅の外壁と内壁間に位置する配管内の水を、散水、園芸、洗車等の用途に用いるノズルの給水ホースに給水できる、施工が容易で安価な水道用コンセントに関する。
【０００２】
【従来の技術】
本出願人が先に提案〔特願２０００−００３４９３号（特開２００１−１９３１１０号）・本出願の出願時点では未公開。〕した水道用コンセント（先行例という）Ｄ’は、
（１）図１１、図１２、図１３（Ａ）に示すように、壁Ｗの裏面側に位置する間柱Ｐに対して直接取り付けられたり、
（２）図１３（Ｂ）に示すように、上記の場合より配管の位置が間柱Ｐからずれている場合、間柱Ｐに対して間接的に取り付けられて使用されるのが一般的である。なお、図１３（Ｂ）は、ハウジング１０１のハウジング本体１０３の背面部Ａを、間柱Ｐに固定されたブラケット１０４に取り付ける状態を示している。
【０００３】
そのため、前記先行例の水道用コンセントＤ’のハウジング本体１０３には、取り付けに用いるネジＮが挿通可能なように多数の挿通穴Ｈ，ｈが形成されている。図１２には、水栓本体１１０、ダイヤル型の流量調整ハンドル１１１、流量調整ハンドル１１１の回動操作を弁体に伝達するための伝達機構、更には、水栓本体１１０の流出口に固定される継手部１２等の水栓部材が組み込まれたハウジング本体１０３を示す。
【０００４】
なお、図１１、図１２は、ハウジング本体１０３の、正面から見て左の側壁を間柱Ｐに固定した場合を示し、図１３（Ａ）は、ハウジング本体１０３の左の側面部Ｂを間柱Ｐに固定するとともに、ハウジング本体１０３の上面部Ｃを他の間柱Ｐ’にネジ止めなどで固定した場合を示している。
【０００５】
また、図１１は、ハウジング１０１の前面部１０２が壁Ｗの前面とほぼ面一となるように壁Ｗ内に前記先行例の水道用コンセントＤ’が配置された例を示す。前面部１０２は、ハウジング本体１０３の前面開口Ｓ’’を覆うようにハウジング本体１０３に装着される。ハウジング本体１０３は、ほぼ直方体形状で、上面部Ｃ、下面部Ｐ、背面部Ａ、右側面部Ｅ、左側面部Ｂより構成され、各面部Ｃ，Ｐ，Ａ，Ｅ，Ｂは鉄製あるいはＳＵＳ製の薄板状に形成されている。
【０００６】
更に、図１１〜図１３において、ハウジング本体１０３の両側面部Ｂ，Ｅには、前後方向において自在に位置決め可能なはさみ板１０５がそれぞれ設けられており、前記はさみ板１０５と前記前面部１０２の枠体１０２ｂとで壁Ｗをはさみこむことが可能である。そのため、ハウジング本体１０３の両側面部Ｂ，Ｅには、はさみ板１０５を前後方向にスライド案内させる切欠部１０６ａが形成されている。
【０００７】
すなわち、前記前面部１０２は、開口部Ｓ’が形成された前記枠体１０２ｂと、開口１０６，１０７が形成されている中央部１０２ａとからなり、この中央部１０２ａは前記枠体１０２ｂに開口部Ｓ’を介して着脱自在に装着される。開口１０６には流量調整ハンドル１１１が位置するとともに、開口１０７には継手部１１２が位置する。そして、前記はさみ板１０５が壁Ｗの裏面側に位置するよう前記水栓部材が組み込まれたハウジング本体１０３を壁Ｗに設けた取付用開口Ｓを介して背面部Ａ側から挿通した後、前記枠体１０２ｂを壁Ｗの表面側からハウジング本体１０３に固定して、枠体１０２ｂの裏面部Ｑを壁Ｗの表側の壁面Ｒに当接させ、続いて、前記はさみ板１０５を前後方向に移動させる長ネジ１０６を調節しながら前記はさみ板１０５と前記前面部１０２の枠体１０２ｂとで壁Ｗをはさみこむ。続いて、枠体１０２ｂの開口Ｓ’を覆うように枠体１０２ｂに中央部１０２ａを装着する。
【０００８】
【発明が解決しようとする課題】
しかし、前記先行例の水道用コンセントＤ’は、構造が複雑で施工性が悪かった。
【０００９】
この発明は上述の事柄に留意してなされたもので、その目的は、構造が簡易で施工性を向上できる安価な水道用コンセントを提供することである。
【００１０】
【課題を解決するための手段】
上記目的を達成するために、この発明は、配管が接続可能な流入口、流出口および弁体を有する水栓本体と、少なくとも二つの開口を有し、壁または取付用パネルに形成された取付穴に配置された前記水栓本体を覆うカバー体と、前記水栓本体の前記流出口に接続された状態で前記カバー体の一方の開口に配置され、ホースの上流端に設けられた継手部材が着脱自在である継手部と、前記カバー体の他方の開口に配置され、前記流出口から流出可能な水または湯の流量を調整するための流量調整ハンドルと、前記水栓本体と前記カバー体とで前記壁または取付用パネルを挟持することによって前記水栓本体を前記取付穴に位置決めする位置決め手段とを備え、更に、この位置決め手段が、前記水栓本体と前記カバー体を接続する接続部材を有する一方、前記カバー体は、前記二つの開口の下方位置に漏水孔を有するとともに、少なくとも前記流出口と継手部との接続部分からの漏水を前記漏水孔に案内しうる漏水案内部材を有する。
【００１１】
また、この発明は別の観点から、配管が接続可能な流入口、流出口および弁体を有する水栓本体と、少なくとも二つの開口を有し、壁または取付用パネルに形成された取付穴に配置された前記水栓本体を覆うカバー体と、前記水栓本体の前記流出口に接続された状態で前記カバー体の一方の開口に配置され、ホースの上流端に設けられた継手部材が着脱自在である継手部と、前記カバー体の他方の開口に配置され、前記流出口から流出可能な水または湯の流量を調整するための流量調整ハンドルと、前記壁または取付用パネルの後方に設置してある水栓本体取付部材と前記カバー体とで前記水栓本体を挟持することによって前記水栓本体を前記取付穴に位置決めする位置決め手段とを備え、更に、この位置決め手段が、前記水栓本体および前記水栓本体取付部材を当接させた状態で前記水栓本体および前記水栓本体取付部材を接続する接続部材と、前記水栓本体と前記カバー体を接続する接続部材とを有する一方、前記カバー体は、前記二つの開口の下方位置に漏水孔を有するとともに、少なくとも前記流出口と継手部との接続部分からの漏水を前記漏水孔に案内しうる漏水案内部材を有する。
【００１２】
また、この発明は更に別の観点から、配管が接続可能な流入口、流出口および弁体を有する水栓本体と、少なくとも二つの開口を有し、壁または取付用パネルに形成された取付穴に配置された前記水栓本体を覆うカバー体と、前記水栓本体の前記流出口に接続された状態で前記カバー体の一方の開口に配置され、ホースの上流端に設けられた継手部材が着脱自在である継手部と、前記カバー体の他方の開口に配置され、前記流出口から流出可能な水または湯の流量を調整するための流量調整ハンドルと、前記壁または取付用パネルの後方に設置してある水栓本体取付部材と前記カバー体とで前記水栓本体を挟持することによって前記水栓本体を前記取付穴に位置決めする位置決め手段とを備え、更に、前記カバー体は、前記二つの開口に対応する位置にそれぞれ開口部が形成された枠部材と、前記二つの開口を有し、前記枠部材の前面に着脱自在に装着される枠装着部材とよりなり、前記位置決め手段が、前記水栓本体および前記水栓本体取付部材を当接させた状態で前記水栓本体および前記水栓本体取付部材を接続する接続部材と、前記水栓本体と前記カバー体の前記枠部材を接続する接続部材とを有する一方、前記カバー体は、前記二つの開口の下方位置に漏水孔を有するとともに、前記枠部材は、少なくとも前記流出口と継手部との接続部分からの漏水を前記漏水孔に案内しうる漏水案内部材を有する。
【００１３】
この発明における壁とは、台所や洗面室等の内壁〔例えば特願平１０−７３３７４号（特開平１１−２５６６３１号）明細書、図面参照〕以外に、例えばマンション用のコンクリート製外壁や、例えば一戸建て用の木造住宅の外壁、あるいは、洗面台、キッチン、水栓付ユニット、介護用ユニットバス等のユニットの側壁等、例えば洗面台ユニットでは洗面台下の収容ボックスの側壁等も含む。
【００１４】
【００１５】
また、この発明における取付用パネルとは、一戸建て用の木造住宅の外壁やマンション用のコンクリート製外壁の一部を外側から覆うように設置されたものをいう。
【００１６】
【発明の実施の形態】
以下、この発明の実施形態について説明する。
図１〜図５は、水栓本体とカバー体とで内壁を挟持することによって前記水栓本体を前記内壁に形成された取付穴に位置決めするよう構成されているこの発明の第１の実施形態を示す。なお、図１〜図５において、図１１〜図１３で示した符号と同一のものは、同一または相当物である。
【００１７】
図１〜図５において、１は、例えば水栓本体で、例えば洗面室において、洗面台に隣接して設置されている洗濯機の給水ホース（図示せず）に給水するために洗面室の内壁Ｗに形成された正面視矩形の取付穴（取付用開口）Ｓにおいて位置決めされている。
【００１８】
前記水栓本体１は、内壁Ｗの裏面側に位置する給水配管２が接続可能な流入口３、流出口４および弁体５を有する。
【００１９】
６は、水栓本体１とで内壁Ｗを挟持するカバー体である。このカバー体６は、、正面視矩形の薄板で、前記取付穴Ｓよりは大きく形成されている。カバー体６は、中央における上下位置に二つの開口７，８を有し、取付穴Ｓに配置された前記水栓本体１を前面側から覆う。
【００２０】
カバー体６に形成された下部開口８には継手部９が配置される。この継手部９は、水栓本体１の前記流出口４に接続されており、前記洗濯機の給水ホースの上流端に設けられた継手部材（図示せず）が着脱自在である。
【００２１】
また、カバー体６に形成された上部開口７には流量調整ハンドル１０が配置される。この流量調整ハンドル１０は、水栓本体１の前記流出口４から流出可能な水の流量を調整する。
【００２２】
前記水栓本体１は鋳造品であり、前記流入口３、流出口４および弁体５設置用の開口部１４が形成された外壁１３と、この外壁１３内に一体的に形成された内壁１１とで構成されている。この内壁１１は上端部に弁体５で開閉される弁口１２を有する一方、外壁１３と内壁１１とによって、前記流入口３に接続される給水配管２の給水流路ｉに連通する流入流路ｊと前記流出口４に連通する流出流路ｋが形成されている。
【００２３】
前記弁体５は、前記開口部１４に形成された内ねじｎに螺合する外ねじｍが形成された大径部分１６を有するとともに、外端部Ｍの外周に前記流量調整ハンドル１０が嵌合するセレーション１７を有するスピンドル１８と、このスピンドル１８の軸方向における中央部を内端部Ｎの端面Ｎ’から大径部分１６にわたりくり抜いて形成された有底のコマ軸挿入孔１９と、スピンドル１８の軸方向の移動により前記弁口１２を開閉するコマ体２０と、このコマ体２０および大径部分１６間に介装されたバネ体２１とより主としてなる。コマ体２０は、図３に示すように、外フランジ２２が形成されるとともに、先端部に六角ナット用外ねじ２３が形成されたコマ軸２４に環状パッキン２５が先端部側から挿通され、六角ナット２６によって環状パッキン２７が外フランジ２５に締付けられてなる。
【００２４】
更に、前記水栓本体１は、図１、図５に示すように、上部に位置する前記開口部１４の左右の方向に外壁１３から連設された状態で形成された一対の上羽根３０，３１と、下部に位置する前記流出口４の左右の方向に外壁１３から連設された状態で形成された一対の下羽根３２，３３とを有する。
【００２５】
そして、水栓本体１を前記取付穴Ｓに位置決めしたときに前記上羽根３０，３１の両端における表面部分３０ａ，３１ａが前面が取付穴Ｓの周りにおける内壁Ｗの裏面２９に当接可能な位置に前記上羽根３０，３１は連設されている。
【００２６】
同様に、水栓本体１を前記取付穴Ｓに位置決めしたときに前記下羽根３２，３３の両端における表面部分３２ａ，３３ａの前面が取付穴Ｓの周りにおける内壁Ｗの裏面２９に当接可能な位置に前記上羽根３０，３１は連設されている。
【００２７】
前記上羽根３０および３１は、水栓本体１とカバー体６を接続する接続部材である長ねじ３４のねじ穴３５および３６をそれぞれ有する。また、前記下羽根３２，３３も、前記長ねじ３４のねじ穴３７および３８をそれぞれ有する。
【００２８】
一方、前記カバー体６は、前記ねじ穴３５および３６の対応位置に前記長ねじ３４の挿通穴３９，４０を有する。そして、この挿通穴３９を介して前記長ねじ３４をねじ穴３５に締付けたときに、長ねじ３４の頭部３４ａの表面３４ｂがカバー体６の表面６ａと面一になるよう、頭部３４ａと挿通穴３９がテーパ状に形成されている。挿通穴４０も挿通穴３９と同一形状である。
【００２９】
また、前記カバー体６は、前記ねじ穴３７および３８の対応位置に前記長ねじ３４の挿通穴４１，４２を有する。両挿通穴４１，４２も、挿通穴３９と同一形状である。
【００３０】
そして、一対の上羽根３０，３１、一対の下羽根３２，３３、ねじ穴３５，３６，３７，３８、挿通穴３９，４０，４１，４２および複数本の長ねじ３４とから、水栓本体１とカバー体６とで内壁Ｗを挟持することによって水栓本体１を取付穴Ｓに位置決めする位置決め手段が構成されている。
【００３１】
なお、この実施形態では、前記取付穴Ｓの左右方向の長さＡは、６０ｍｍに設定されている。また、前記取付穴Ｓの上下方向の長さＢは、１００ｍｍに設定されている。また、カバー体６の左右方向の長さＣは、１００ｍｍに設定されており、カバー体６の上下方向の長さＤは、１４０ｍｍに設定されている。
【００３２】
更に、前記カバー体６は、継手部９が配置される下部開口８の下方位置に一つの漏水孔４４を有するとともに、漏水案内部材４５を有する。この漏水案内部材４５は、前記流出口４と継手部９との接続部分からの漏水と、前記流入口３および給水配管２の接続部分からの漏水とを前記漏水孔４４に案内するためのものである。
【００３３】
前記漏水案内部材４５は、平面視矩形の薄板状で、給水配管２が遊嵌可能な大きさの切欠部４６を有し、カバー体６の裏面６ｂに切欠部４６が形成される端部４６ａに対向する端部４６ｂを介して例えば溶接により漏水孔４４の位置よりも下側に取り付けられている。
【００３４】
前記漏水案内部材４５は、表面４５ａが端部４６ａから端部４６ｂの方向にいくにつれて緩やかに下方に傾斜するようカバー体６に取り付けられている。これは、前記各接続部分から漏水案内部材４５の表面４５ａに落下する漏水を漏水孔４４に移動させ易くするためである。これにより、漏水孔４４から漏水案内部材４５の表面４５ａに水が漏れていることが目視でき、保守点検に役立つ。
【００３５】
なお、４６は、弁体５の前記スピンドル１８を摺動可能に水栓本体１の前記開口部１４に位置決めする位置決め部材、４７は、前記開口部１４の外周に形成された外ねじｑに螺合して弁体５を水栓本体１に締付けるナット４８と前記位置決め部材４６との間に設けたシール部材である。
【００３６】
そして、簡易な構造の水栓本体１と、カバー体６と、継手部９と、流量調整ハンドル１０と、位置決め手段３０，３１、３２，３３、３５，３６，３７，３８、３９，４０，４１，４２、３４と、漏水案内部材４５とから簡易式の水道用コンセント５０が構成される。
【００３７】
そして、水栓本体１の上羽根３０，３１、下羽根３２，３３およびカバー体６を、それぞれ内壁Ｗの裏面１００および表面２００に当接させた状態で、長ねじ３４をねじ穴３５，３６，３７，３８に締付けるだけの容易な施工で水道用コンセント５０を設置できる。
【００３８】
図６、図７は、内壁Ｗの後方にスペーサ５１（水栓本体取付部材の一例）を設置し、このスペーサ５１とカバー体６とで水栓本体１を挟持することによって水栓本体１を取付穴Ｓに位置決めするように構成したこの発明の第２の実施形態を示す。なお、図６、図７において、図１〜図５で示した符号と同一のものは、同一または相当物である。
【００３９】
この実施形態では、水栓本体１の羽根３０’，３１’の裏面５１，５３をスペーサ５１の表面５１ａに当接させるとともに、カバー体６の裏面６ｂを内壁Ｗの表面２００に当接させた状態で、水栓本体１およびスペーサ５１を接続する接続部材であるねじ３４’を、挿通穴３９と同じテーパ形状で羽根３０’，３１’に設けた挿通穴３９’，４０’を介してスペーサ５１に捩じ込むとともに、水栓本体１とカバー体６を接続する接続部材である長ねじ３４を、カバー体６に設けた挿通穴３９，４０を介して羽根３０’，３１’に設けたねじ穴６０，６１に締付けるだけの容易な施工で水道用コンセント５０’を設置できる。
【００４０】
前記スペーサ５１は、内壁Ｗの後方に位置する例えば間柱や筐体６２に固定されている。また、前記ねじ３４’の頭部６３は長ねじ３４の頭部３４ａと同一形状のテーパ形状をなす。また、前記挿通穴３９’，４０’は、挿通穴３９，４０と同一形状のテーパ形状をなす。
【００４１】
図８〜図１０は、内壁Ｗの後方にスペーサ５１（水栓本体取付部材の一例）を設置し、このスペーサ５１とで水栓本体１を挟持するカバー体６６を二部材で構成することによって水栓本体１を内壁Ｗの取付穴Ｓに位置決めするように構成したこの発明の第３の実施形態を示す。なお、図８〜図１０において、図１〜図７で示した符号と同一のものは、同一または相当物である。
【００４２】
この実施形態では、内壁Ｗの取付穴Ｓに配置された水栓本体１を覆うカバー体６６を二部材で構成している。
【００４３】
すなわち、カバー体６６は、枠部材６７と、この枠部材６７の前面６７ａに着脱自在に装着される平板状の枠装着部材６８とよりなる。
【００４４】
前記枠装着部材６８は、中央における上下位置に、それぞれ流量調整ハンドル１０が配置される開口７’および、その軸心のまわりに３６０°回転可能に構成されている継手部９’が配置される開口８’を有する。この開口８’は枠装着部材６８の前面６８ｂより凹んだ凹部６８ｃの底に形成されている。この凹部６８ｃによって継手部９’が前面６８ｂに当たることなく３６０°回転できる。
【００４５】
以下、前記枠部材６７について説明する。
【００４６】
前記枠部材６７は、前記開口７’に対応する位置に開口６９が形成された上開口部７０を有する一方、前記開口８’に対応する位置に開口７１が形成された下開口部７２を有する。
【００４７】
前記上開口部７０は、開口６９の下部に、水栓本体１と枠部材６７を接続する接続部材である一対のねじ７３，７３が挿通可能な左右一対の挿通穴７４，７４を有する。前記ねじ７３の頭部７３ａは前記長ねじ３４の頭部３４ａと同一形状のテーパ形状をなす。また、前記挿通穴７４は、前記挿通穴３９，４０と同一形状のテーパ形状をなす。
【００４８】
更に、前記上開口部７０は、前記枠部材６７の裏面６７ｂに正面視門型の突出枠部分７５を有するとともに、突出枠部分７５の水平片７６の内面７６ａの奥側の左右位置に一対の係止溝７７，７７を有する。
【００４９】
一方、前記下開口部７２は、開口７１の下部に、左右一対の係止孔７８，７８を有する。
【００５０】
更に、前記下開口部７２は、前記枠部材６７の裏面６７ｂに、裏面６７ｂ側から後方に突出した状態で形成された正面視逆門型の漏水案内部分（漏水案内部材の一例）７９を有する。
【００５１】
そして、前記漏水案内部分７９は、中央に漏水案内片７９ａを有する。この漏水案内片７９ａは、平面視矩形の薄板状で、給水配管２が遊嵌可能な大きさの切欠部８０を有するとともに、表面ｇが両端位置Ｐ，Ｐ’から中央位置Ｑの方向にいくにつれて緩やかに下方に傾斜するよう形成されている。これは、水栓本体１の前記流出口４と継手部９’との接続部分や、水栓本体１の前記流入口３および配管２の接続部分から漏水案内片７９ａの表面ｇに落下する漏水を後述する漏水孔８１に移動させ易くするためである。これにより、漏水孔８１から水が漏れていることが目視でき、保守点検に役立つ。
【００５２】
なお、この実施形態では、前記継手部９’として、例えば洗濯機の給水ホースの上流端に設けた継手部材（図示せず）が着脱自在であるとともに内壁の上流部に段差８２を有する継手本体８３に、下流側から順に、弁座部材８４と、この弁座部材８４に上流側から当接可能な弁体部８５を中央に有する側面視がほぼＬ字形状のストップ弁８６と、一端が段差８２に、他端がストップ弁８６にそれぞれ当接し、ストップ弁８６を下流側に付勢する弾性部材８７とを設けてなり、前記継手部材が継手本体８３に連結される過程において、ストップ弁８６の下流端部が、前記継手部材の内壁下流部に設けた小径部に上流側から当接可能である構成のものを採用している。
【００５３】
次に、前記枠装着部材６８について説明する。
【００５４】
８８，８８は、枠装着部材６８の裏面６８ａにおける前記係止溝７７，７７に対応する左右の位置に設けた上向き係止爪である。また、８９，８９は、枠装着部材６８の裏面６８ａにおける前記係止孔７８，７８に対応する左右の位置に設けた下向き係止爪である。
【００５５】
以下、前記漏水孔８１について説明する。
【００５６】
前記漏水孔８１は、カバー体６６における前記二つの開口７’，８’の下方位置に形成される。すなわち、前記枠部材６７の下開口部７２に形成された左右一対の係止孔７８，７８間に幅広の縦溝９０が形成されており、この枠部材６７と枠部材６７の前面６７ａに装着される枠装着部材６８とによって漏水孔８１が形成される。
【００５７】
次に、水栓本体１について説明する。
【００５８】
前記水栓本体１は、左右一対の前羽根９１，９１と、この前羽根９１，９１と同じ高さ位置に左右一対の後羽根９２，９２とを有する。
【００５９】
そして、前羽根９１は、前記ねじ７３のねじ孔９３を有する。前記ねじ７３の締付けによって、枠部材６７を介して水栓本体１とカバー体６６を接続できる。
【００６０】
また、前記後羽根９２は、ねじ９４によって水栓本体１とスペーサ５１（水栓本体取付部材の一例）を接続するためのねじ孔９５を有する。
【００６１】
この実施形態では、ねじ９４の締付けによって、水栓本体１とスペーサ５１を接続し、更に、挿通穴７４とねじ孔９３が連通するよう水栓本体１の前羽根９１，９１を枠部材６７の上開口部７０に枠部材６７の前面６７ａ側から当接させた状態でねじ７３締めを行い、枠部材６７の前面６７ａに枠装着部材６８を装着するだけの容易な施工で水道用コンセント５０’を設置できる。
【００６２】
【発明の効果】
以上説明したようにこの発明によれば、構造が簡易で施工性を向上できる安価な水道用コンセントを提供できる効果がある。
【図面の簡単な説明】
【図１】  この発明の第１の実施形態の取り付け状態を示す分解斜視図である。
【図２】  上記実施形態の取り付け状態を側面側からみた構成説明図である。
【図３】  上記実施形態の取り付け状態を上面側からみた構成説明図である。
【図４】  上記実施形態における取り付け状態でのカバー体と取付穴の位置関係を示す図である。
【図５】  上記実施形態における取り付け状態での水栓本体と取付穴の位置関係を示す図である。
【図６】  この発明の第２の実施形態の取り付け状態を示す分解斜視図である。
【図７】  上記第２の実施形態の取り付け状態を側面側からみた構成説明図である。
【図８】  この発明の第３の実施形態の取り付け状態を示す構成説明図である。
【図９】  上記第３の実施形態における取り付け状態を示す分解斜視図である。
【図１０】  上記第３の実施形態におけるカバー体を示す分解斜視図である。
【図１１】  従来例の取り付け状態を説明するための図である。
【図１２】  従来例の取り付け状態を示す分解斜視図である。
【図１３】  （Ａ）は、従来例の取り付け方法を示す要部斜視図である。
（Ｂ）は、従来例の他の取り付け方法を示す要部斜視図である。
【符号の説明】
１…水栓本体、２…給水配管、３…流入口、４…流出口、５…弁体、６…カバー体、７，８…二つの開口、９…継手部、１０…流量調整ハンドル、３０，３１，３２，３３，３４，３５，３６，３７，３８，３９，４０，４１，４２…位置決め手段、４４…漏水孔、４５…漏水案内部材、Ｓ…取付穴、Ｗ…壁。
【図１】
0004643853.tif 000002
【図２】
0004643853.tif 000003
【図３】
0004643853.tif 000004
【図４】
0004643853.tif 000005
【図５】
0004643853.tif 000006
【図６】
0004643853.tif 000007
【図７】
0004643853.tif 000008
【図８】
0004643853.tif 000009
【図９】
0004643853.tif 000010
【図１０】
0004643853.tif 000011
【図１１】
0004643853.tif 000012
【図１２】
0004643853.tif 000013
【図１３】
0004643853.tif 000014